(57)【特許請求の範囲】
【請求項１】
窓を覆える大きさの耐火シートを巻き上げたロールにロール軸を付けて該窓の上側に配設するロール支持部と、
前記耐火シートの一辺に設けられる重り棒を係止し、火災時には該重り棒を落下させる重り支持部と、からなり、
前記重り支持部は、火災時に前記耐火シートを広げて前記窓を覆うものであり、また、前記ロール支持部は、必要に応じてロールを落下させる手段を有することを特徴とする防火装置。
【請求項２】
耐火シートを巻き上げたロールにロール軸を付けて家屋に配設するロール支持部と、
前記耐火シートの一辺に設けられる重り棒を係止し、火災時には該重り棒を落下させる重り支持部と、からなり、
前記重り支持部は、火災時に前記耐火シートを広げるものであり、また、前記ロール支持部は、必要に応じてロールを落下させる手段を有することを特徴とする防火装置。
【請求項３】
ロール支持部は、放水圧力を受けてロールを落下させる手段を有する請求項１または２の防火装置。
【発明の詳細な説明】
【０００１】
【発明の属する技術分野】
本発明は、住宅の密集地帯等において火災が発生しても、延焼を防止する防火装置に関する。
【０００２】
【発明が解決しようとする課題】
近年、阪神大震災を始めとする大きな災害が注目され、一般家庭における防災意識の向上は著しいものがある。そして、震災後に火災が延々と広がり、倒壊により動けなかった人のたくさんの命を奪ったことも記憶に新しい。このような事態は、大きな道路や公園等の広場に到達するまで延焼が止まらなかったことも一因である。
【０００３】
このような延焼は、隣り合う建物へ炎が伝わっていくことにより燃え広がるのであるが、そのときに窓の役割が大きく、木造住宅以外の耐火構造で壁が燃えなくても窓を伝って火災が広がることが多い。すなわち、火災の発生した家屋は、内部の熱により窓ガラスが割れ、そのガラスの割れた窓を放出口として強烈な勢いで炎を吹き出す。この炎の吹き出しにより、隣接する家屋があるときに炎の熱が伝搬し、木造であれば壁に火がつくし、木造でなくても窓があれば、同様に窓ガラスが割れ、家屋内部の可燃物に火が着くことになる。
【０００４】
そして、このような延焼を防止するため防火装置について、たとえば、実開昭５７−１３０５９号公報および実開昭６３−１６６２６１号公報が開示されている。しかし、これらの公報では、家屋の外周全体を完全に覆う大規模な防火シートであって、さらに上部から散水を行って、その防火シートを濡らせるものである。このような装置は、大々的な設備であって、巻き上げたシートの重みも軽くなく、軒下に簡単には設けられない。そして、上部から散水を行うには配管設備が必要であり、さらに、隣家が火災のときに水を使用するのは、専用の貯水槽を用いないかぎり、消火水の供給の点から好ましくない。
【０００５】
また、これら公報のような装置では、大掛かりであるため消防隊の活動が必要な場合に支障を来すことがある。
【０００６】
このような点から本発明は、特に密集した住宅街を対象にして、窓を保護することにより、隣り合う住宅の間の延焼を防止することを目的とする。また、シートを利用するときに消防活動の障害とさせないことを目的とする。
【０００７】
【課題を解決するための手段】
本発明による第１の発明は、窓を覆える大きさの耐火シートを巻き上げたロールにロール軸を付けて該窓の上側に配設するロール支持部と、前記耐火シートの一辺に設けられる重り棒を係止し、火災時には該重り棒を落下させる重り支持部と、からなり、前記重り支持部は、火災時に前記耐火シートを広げて前記窓を覆うものであり、また、前記ロール支持部は、必要に応じてロールを落下させる手段を有することを特徴とするものである。その結果、ロール支持部は、外側からの熱等に応答して、設置される家屋への延焼を防止するとともに、内側からの熱等にも応答して、設置される家屋から隣接する家屋への延焼をも防止することができ、さらに、必要に応じてロールを落下させるので、窓から放水作業や救助作業などを行うことができる。
【０００８】
また、第２の発明は、耐火シートを巻き上げたロールにロール軸を付けて家屋に配設するロール支持部と、耐火シートの一辺に設けられる重り棒を係止し、火災時には重り棒を落下させる重り支持部と、からなり、重り支持部は、火災時に耐火シートを広げるものであり、また、ロール支持部は必要に応じてロールを落下させる手段を有することを特徴とするものである。消防隊の消防活動は、窓を利用することが多く、その結果、家屋内に放水するとき等、窓からの消防活動が行いやすい。
【０００９】
【発明の実施の形態】
以下、本発明の第１の実施形態について説明する。図１、図２および図３は、本発明の一実施形態の防火装置であるロールダウンシート左固定金具の右側面図、左側面図および正面図、図４および図５は、ロールを保持する上半分を示した上面図および下面図である。さらに図６は、上記の図１から図６に示した固定金具によるロールダウンシートの設置状況を示す概略図である。
【００１０】
ロール１は、耐火シート１１を巻き上げたものであり、耐火シート１１の末端辺には重り棒１２が固定されている。この耐火シート１１は、対象とされる窓Ｗを覆う大きさを有するものであり、材質は、二酸化ケイ素を約９５％程度（具体的には９４．１％）を含有する特殊耐熱繊維を編み上げたもので連続的に１０００℃以上の高温に耐え、一時的には約１６００℃以上に耐えうるものであり、基本的には窓Ｗを十分に覆う方形のものである。そして、この耐火シート１１の一辺に中空筒状のロール芯１３が固定され、その対向する辺に重り棒１２が固定される。この耐火シート１１をロール芯１３に巻き上げたものがロール１となっている。
【００１１】
このロール１は、左右対称の同形状に設けられる固定金具２の固定板２１から突出するロール指示部３のロール軸３１が、ロール１のロール芯１３に左右から通されて係止されている。そして、重り棒１２は、固定金具の固定板２１から別途突出する重り指示部４のくぼみ４１に左右端部が係止されている。
【００１２】
そして、重り指示部４は、火災発生時には重り棒１２をくぼみ４１から外して落下させるものである。すなわち、重り棒１２を指示するくぼみ４１は、アーム４２に形成され、アーム４２は、固定板２１から突出するロッド４３に回転軸４４を介して接続され、アーム４２が上下方向に回動可能に形成されている。そして、ロッド４３にはアーム４２の上方向への回動を制限するアーム止め４５が形成され、ワイヤ４６により上方向に引き上げられているアーム４２の位置を制限している。
【００１３】
ここで、通常状態ではテンションの係っているワイヤ４６が図示しない感熱手段の作用により火災発生時に自由となり、ワイヤ４６が緩んでアーム４２が下方向に回動し、くぼみ４１から重り棒１２が外れて落下し、ロール１がロール軸３１を中心に回転して耐火シート１１が広がりロール芯１３を中心に垂れ下がり、窓Ｗを覆うことになる。図示しない感熱手段としては、単純にワイヤ４６を引っ掛けているフックをバイメタル、形状記憶物質、グラスバルブあるいは熱可溶物質の感熱変動物により解放するものでよいし、火災を検出する熱感知器や炎感知器等の信号に基づいて電動式にフックを解放する方式であってもよい。感熱変動物を用いる方式では、無電源でよいがワイヤ４６のテンションを感熱手段の配置部分から連動させて解放する必要があり、物の衝突などに気をつける必要がある。また、火災感知器の信号を用いる方式では、電源が必要となるが、複数の感知器を配置することができ、内部の火災と外部の火災、さらに手動スイッチ等に簡単に接続できる利点がある。
【００１４】
また、ロール指示部３は、消防隊が消防活動のため広がったシート１１が邪魔な場合があり、そのときにはロール芯１３をロール軸３１から外して落下させるものである。すなわち、ロール芯１３を指示するロール軸３１は、アーム３２に形成され、アーム３２は、固定板２１から突出するロッド３３に回転軸３４を介して接続され、アーム３２が水平方向に回動可能に形成されている。そして、ロッド３３にはアーム３２の水平手前方向への回動を制限するアーム止め３５が形成され、アーム３２の位置を制限している。
【００１５】
ここで、消防隊の消防活動として特に窓Ｗを利用した放水作業について説明すると、通常状態では水平方向に力が係らない消防隊の放水Ｊが耐火シート１１の上側に当たると、放水Ｊの衝突によりロール芯１３を介してロール軸３１に水平方向奥側への力がかかる。その力によってアーム３２が水平奥方向に回動し、一体に回動するロール軸３１からロール芯１３が外れて落下し、広がった耐火シート１１も落下して窓Ｗが開放された状態になる。そして、窓Ｗから家屋Ｋ内へ放水作業を行うことができる。また、放水作業以外のたとえば救助作業などは、消防隊が窓に近づいて行うので自分で排除できる。
【００１６】
このロール軸３１からロール芯１３を外して落下させる方式は、上記の方式以外に、ロール軸３１とともに回動可能なアーム３２にまとを設け、そのまとに放水することでロール芯１３が外れるようにしてもよい。その場合、消防隊にも理解しやすい。また、ロール軸３１を水平に回動させる方式では、外側からの不意の押圧によってシート１１が落ちることが考えられるので、ロール軸３１が重みを感じるときに下方に回動する方式でもよい。その重みは、消防隊の放水を受ける容器を設けて、放水をためた重みを利用することができる。また、シート１１の吸水性を直接利用してもよい。ただ、この方式では重みに対するロール軸３１の応答を精度よくする必要がある。
【００１７】
次に、本発明の第２の実施形態について説明する。ロールダウンシートの固定金具は第１の実施形態と同様であり、図１、図２、図３、図４および図５と同様である。さらに、第２の実施形態によるロールダウンシートの設置状況も図６に第１の実施形態と同様に示されている
ロール１ｈは、第１の実施形態と同様に、耐火シート１１ｈを巻き上げたものであり、耐火シート１１ｈの末端辺には重り棒１２ｈが固定されている。この耐火シート１１ｈは、対象とされる壁Ｈを覆う大きさを有するものであり、材質は、二酸化ケイ素を約９５％程度（具体的には９４．１％）を含有する特殊耐熱繊維を編み上げたもので連続的に１０００℃以上の高温に耐え、一時的には約１６００℃以上に耐えうるものであり、基本的には壁Ｈを覆う方形のものである。そして、この耐火シート１１ｈの一辺に中空筒状のロール芯１３ｈが固定され、その対向する辺に重り棒１２ｈが固定される。この耐火シート１１ｈをロール芯１３ｈに巻き上げたものがロール１ｈとなっている。
【００１８】
このロール１ｈは、第１の実施形態と同様の左右対称の同形状に設けられる固定金具２の固定板２１から突出するロール指示部３のロール軸３１が、ロール１ｈのロール芯１３ｈに左右から通されて係止されている。そして、重り棒１２ｈは、固定金具の固定板２１から別途突出する重り指示部４のくぼみ４１に左右端部が係止されている。
【００１９】
そして、重り指示部４は、第１の実施形態と同様に、火災発生時には重り棒１２ｈをくぼみ４１から外して落下させるものである。すなわち、重り棒１２ｈを指示するくぼみ４１は、アーム４２に形成され、アーム４２は、固定板２１から突出するロッド４３に回転軸４４を介して接続され、アーム４２が上下方向に回動可能に形成されている。そして、ロッド４３にはアーム４２の上方向への回動を制限するアーム止め４５が形成され、ワイヤ４６により上方向に引き上げられているアーム４２の位置を制限している。
【００２０】
ここで、通常状態ではテンションの係っているワイヤ４６が図示しない感熱手段の作用により火災発生時に自由となり、ワイヤ４６が緩んでアーム４２が下方向に回動し、くぼみ４１から重り棒１２ｈが外れて落下し、ロール１ｈがロール軸３１を中心に回転して耐火シート１１ｈが広がりロール芯１３ｈを中心に垂れ下がり、壁Ｈを覆うことになる。図示しない感熱手段としては、第１の実施形態と同様のものが使用される。
【００２１】
また、ロール指示部３は、消防隊が消防活動のため広がったシート１１ｈが邪魔な場合があり、そのときにはロール芯１３ｈをロール軸３１から外して落下させるものである。すなわち、第１の実施形態と同様、ロール芯１３ｈを指示するロール軸３１は、アーム３２に形成され、アーム３２は、固定板２１から突出するロッド３３に回転軸３４を介して接続され、アーム３２が水平方向に回動可能に形成されている。そして、ロッド３３にはアーム３２の水平手前方向への回動を制限するアーム止め３５が形成され、アーム３２の位置を制限している。
【００２２】
ここで、消防隊の消防活動として特に壁Ｈの窓Ｗｈを利用した放水作業について説明すると、通常状態では水平方向に力が係らない消防隊の放水が耐火シート１１ｈの上側に当たると、第１の実施形態と同様に放水の衝突によりロール芯１３ｈを介してロール軸３１に水平方向奥側への力がかかる。その力によってアーム３２が水平奥方向に回動し、一体に回動するロール軸３１からロール芯１３ｈが外れて落下し、広がった耐火シート１１ｈも落下して壁Ｈの窓Ｗｈが開放された状態になる。そして、窓Ｗから家屋Ｋ内へ放水作業を行うことができる。また、放水作業以外のたとえば救助作業などは、予め放水によりシート１１ｈを落としておいて消防隊が家屋Ｋ内へ進入することができる。
【００２３】
このロール軸３１からロール芯１３ｈを外して落下させる方式は、第１の実施形態と同様の方式を用いることができる。
【００２４】
以上のように、本発明による第１の発明は、窓Ｗを覆える大きさの耐火シート１１を巻き上げたロール１にロール軸３１を付けて窓Ｗの上側に配設するアーム３２およびロッド３３によるロール支持部３と、耐火シート１１の一辺に設けられる重り棒１２を係止し、火災時には重り棒１２を落下させるアーム４２、ロッド４３およびワイヤ４６による重り支持部４と、からなり、重り支持部４は、火災時に耐火シート１１を広げて窓Ｗを覆うものであり、また、ロール支持部３は、必要に応じてロール１を落下させる手段を有することを特徴とするものであり、重り支持部４は、必要に応じてロール１が設けられる家屋Ｋの内部および外部に図示しない感熱手段のような火災検出手段を設けていずれかの火災検知に基づいて重り棒１２を落下させる手段を有するものである。その結果、ロール支持部３は、外側からの熱等に応答して、設置される家屋Ｋへの延焼を防止するとともに、内側からの熱等にも応答して、設置される家屋Ｋから隣接する家屋への延焼をも防止することができ、さらに、ロール支持部３は、放水圧力等を受けてロール１を落下させるので、窓Ｗから放水作業や救助作業などを行うことができる。
【００２５】
また、第２の発明は、耐火シート１１ｈを巻き上げたロール１ｈにロール軸３１を付けて家屋に配設されるアーム３２およびロッド３３によるロール支持部３と、耐火シート１１ｈの一辺に設けられる重り棒１２ｈを係止し、火災時には重り棒１２ｈを落下させるアーム４２、ロッド４３およびワイヤ４６による重り支持部４と、からなり、重り支持部４は、火災時に耐火シート１１ｈを広げるものであり、また、ロール支持部３は必要に応じてロール１ｈを落下させる手段を有することを特徴とするものであり、ロール支持部３は、放水圧力等を受けてロール１ｈを落下させる手段を有するものである。消防隊の消防活動は、窓Ｗｈを利用することが多く、その結果、家屋Ｋ内に放水するとき等、窓Ｗｈからの消防活動が行いやすい。
【図面の簡単な説明】
【図１】図１は、本発明の左固定金具の右側面図。
【図２】図２は、図１の左側面図。
【図３】図３は、図１の正面図。
【図４】図４は、図１の上半分の上面図。
【図５】図５は、図４の下面図。
【図６】図６は、図１の設置状況を示す概略図。
【符号の説明】
１、１ｈ    ロール
１１、１１ｈ  耐火シート
１２、１２ｈ  重り棒
２    固定金具
３    ロール支持部
４    重り支持部
Ｈ    壁
Ｋ    家屋
Ｗ、Ｗｈ  窓
【図１】
0003670090.tif 000002
【図２】
0003670090.tif 000003
【図３】
0003670090.tif 000004
【図４】
0003670090.tif 000005
【図５】
0003670090.tif 000006
【図６】
0003670090.tif 000007